(57)【要約】【課題】  巻き付けた対象物を抜き取るのに必要な作業を簡素化できる巻取装置を提供する。【解決手段】  互いに長手方向が沿うようにして複数の長尺な巻取部１，…が配置され、複数の巻取部１，…の周りに長尺な対象物Ｘを巻き付け可能に構成されると共に、少なくとも一つの巻取部１が巻き付けられた対象物Ｘから離間するよう内方に変位することにより、巻取部１，…から対象物Ｘを抜き取り可能に構成される巻取装置であって、巻取部１，…に対象物を巻き付けるべく、前記少なくとも一つの巻取部１，…を支持して該巻取部１，…が内方に変位するのを規制する位置と、巻取部１，…から対象物Ｘを抜き取り可能とすべく、規制を解除して前記少なくとも一つの巻取部１，…が内方に変位可能となる位置とに変位可能な支持部４を備えることを特徴とする。【選択図】図６
2009040583.tif 000002
【特許請求の範囲】
【請求項１】
互いに長手方向が沿うようにして複数の長尺な巻取部が配置され、複数の巻取部の周りに長尺な対象物を巻き付け可能に構成されると共に、少なくとも一つの巻取部が巻き付けられた対象物から離間するよう内方に変位することにより、巻取部から対象物を抜き取り可能に構成される巻取装置であって、巻取部に対象物を巻き付けるべく、前記少なくとも一つの巻取部を支持して該巻取部が内方に変位するのを規制する位置と、巻取部から対象物を抜き取り可能とすべく、規制を解除して前記少なくとも一つの巻取部が内方に変位可能となる位置とに変位可能な支持部を備えることを特徴とする巻取装置。
【請求項２】
軸線方向が巻取部の長手方向に沿うようにして軸線周りに巻取部が配置されるシャフト部材と、シャフト部材に挿入されて、シャフト部材の軸線方向に沿って変位可能な移動部とを備え、支持部は、移動部の外周部に設けられる請求項１に記載の巻取装置。
【請求項３】
移動部は、支持部が巻取部が内方に変位するのを規制する位置において、巻取部を係止可能な規制部を外周部に備え、巻取部が移動部に対してシャフト部材の周方向に相対変位するのを規制可能に構成される請求項２に記載の巻取装置。
【発明の詳細な説明】
【技術分野】
【０００１】
本発明は、フィルムやシートといった長尺な対象物を巻き取る巻取装置に関する。
【背景技術】
【０００２】
従来、図８に示すように、シャフト部材１００の軸線周りに複数の巻取部１０１，…が並設されて、フィルムやシートといった長尺な対象物を複数の巻取部１０１の周りに巻き付ける巻取装置が知られている。そして、巻取装置は、シャフト部材１００の先端部に設けられる雄ネジ部１０２に螺合可能な雌ネジ部１０３が設けられる取付軸１０４を備え、取付軸１０４は、外嵌された操作ハンドル１０５を介して周方向に回転されることでシャフト部材１００に対して着脱可能に構成される（例えば特許文献１参照）。
【特許文献１】特開２０００−３１３５５３号公報
【発明の開示】
【発明が解決しようとする課題】
【０００３】
しかしながら、かかる巻取装置は、巻取部１０１に巻きつけた対象物を抜き取るのに、取付軸１０４をシャフト部材１００の周方向に回転させて、シャフト部材１００の雄ネジ部１０２と取付軸１０４の雌ネジ部１０３との螺合を解除させ、取付軸１０４をシャフト部材１００から取り外し、巻取部１０１，…をシャフト部材１００の軸線方向に移動させる必要がある。したがって、かかる巻取装置は、巻き付けた対象物を抜き取るのに、装置の一部位を分離し、再度対象物を巻き付けるのに、分離した部位を接合（復旧）させる必要があるため、巻き付けた対象物を抜き取るのに必要な作業が複雑であり、非常に時間がかかる。
【０００４】
よって、本発明は、かかる事情に鑑み、巻き付けた対象物を抜き取るのに必要な作業を簡素化できる巻取装置を提供することを課題とする。
【課題を解決するための手段】
【０００５】
本発明にかかる巻取装置は、互いに長手方向が沿うようにして複数の長尺な巻取部が配置され、複数の巻取部の周りに長尺な対象物を巻き付け可能に構成されると共に、少なくとも一つの巻取部が巻き付けられた対象物から離間するよう内方に変位することにより、巻取部から対象物を抜き取り可能に構成される巻取装置であって、巻取部に対象物を巻き付けるべく、前記少なくとも一つの巻取部を支持して該巻取部が内方に変位するのを規制する位置と、巻取部から対象物を抜き取り可能とすべく、規制を解除して前記少なくとも一つの巻取部が内方に変位可能となる位置とに変位可能な支持部を備えることを特徴とする。
【０００６】
本発明によれば、支持部が、巻取部を支持して巻取部が内方に変位するのを規制する位置と、規制を解除して巻取部が内方に変位可能となる位置とに変位可能である。それにより、少なくとも一つの巻取部が内方に変位するのを規制された複数の巻取部の周りに長尺な対象物を巻き付けた後、少なくとも一つの巻取部が規制を解除されて対象物から離間するよう内方に変位することにより、巻き付けられた対象物を巻取部から抜き取ることができる。したがって、複数の巻取部の周りに長尺な対象物を巻き付けて抜き取るのに、装置の一部位を分離させたり、分離した部位を接合させたりする必要がない。
【０００７】
また、本発明にかかる巻取装置においては、軸線方向が巻取部の長手方向に沿うようにして軸線周りに巻取部が配置されるシャフト部材と、シャフト部材に挿入されて、シャフト部材の軸線方向に沿って変位可能な移動部とを備え、支持部は、移動部の外周部に設けられてもよい。かかる構成によれば、シャフト部材が、軸線方向が巻取部の長手方向に沿うようにして配置されると共に、軸線周りに巻取部が配置されるようにして設けられる。そして、支持部を外周部に備える移動部がシャフト部材に挿入されてシャフト部材の軸線方向に沿って変位することにより、支持部が巻取部を支持して内方に変位するのを規制する位置と、規制を解除して巻取部が内方に変位可能となる位置とに変位できる。
【０００８】
また、本発明にかかる巻取装置においては、移動部は、支持部が巻取部が内方に変位するのを規制する位置において、巻取部を係止可能な規制部を外周部に備え、巻取部が移動部に対してシャフト部材の周方向に相対変位するのを規制可能な構成を採用してもよい。かかる構成によれば、巻取部が支持部によって内方に変位するのを規制される状態で、移動部の外周部に設けられる規制部が巻取部を係止するため、巻取部が移動部に対してシャフト部材の周方向に相対変位するのを規制できる。したがって、例えば、巻取部が対象物から周方向の力を受けても湾曲するのを防止できるため、安定した状態で対象物を巻き取ることができる。
【発明の効果】
【０００９】
したがって、本発明によれば、巻き付けた対象物を抜き取るのに、装置の一部位を分離させたり、分離した部位を接合させたりする必要がないため、巻き付けた対象物を抜き取る作業を簡素化できるという優れた効果を奏する。
【発明を実施するための最良の形態】
【００１０】
以下、本発明にかかる巻取装置における一実施形態について、添付図面を参照して説明する。
【００１１】
本実施形態にかかる巻取装置は、図１に示すように、互いに長手方向が沿うようにして複数の長尺な巻取部１，…（本実施形態において四つとする）が配置され、複数の巻取部１，…の周りに例えば帯状のフィルムといった長尺な対象物Ｘを筒状に巻き付け可能に構成されると共に、全ての巻取部１，…が巻き付けられた対象物Ｘから離間するよう幅方向（内方）に変位することにより、巻取部１，…から対象物Ｘを抜き取り可能に構成される。そして、巻取装置は、軸線方向が巻取部１の長手方向に沿うようにして軸線周りに巻取部が配置されるシャフト部材２と、シャフト部材２に挿入されて、シャフト部材２の軸線方向に沿って変位可能な移動部３とを備える。
【００１２】
また、巻取装置は、巻取部１，…に対象物Ｘを巻き付けるのに、巻取部１，…を支持して巻取部１，…が幅方向に変位するのを規制する位置と、巻取部１，…から対象物Ｘを抜き取るのに、規制を解除して巻取部１，…が幅方向に変位可能となる位置とに変位可能な支持部４を備える。具体的には、支持部４は、移動部３の外周部に設けられる。さらに、巻取装置は、回転可能なシャフト部材２の周方向に沿って配置される基部５を備え、基部５は、シャフト部材２に固定されて一体回転可能に構成される。具体的には、巻取部１，…の長手方向（シャフト部材２の軸線方向）の一方側から対象物Ｘを抜き取るのに対し、巻取部１の長手方向（シャフト部材２の軸線方向）の他方側に基部が設けられる。
【００１３】
巻取部１，…は、支持部４によって幅方向に変位するのを規制されるとき、即ち、対象物Ｘに巻き付けられるとき、互いの長手方向が略平行となるように配置され、さらに、長手方向がシャフト部材２の軸線方向と略平行となるように配置される。そして、巻取部１，…は、シャフト部材２の軸線周りに（周方向に沿って）離間して並設される。
【００１４】
また、巻取部１は、図２に示すように、長手方向の他方側に設けられる支点部６を中心にして回動可能に構成される。具体的には、巻取部１は、長手方向の他方側が基部５に枢着され、枢着される部位を支点部６として回動可能に構成される。そして、巻取部１は、略平行に配置される長尺な一対の板部材７，７と、長手方向の一方側であって一対の板部材７，７間に配置される回転可能な回転部材（ローラ）８とを備えて構成される。
【００１５】
また、巻取部１は、図３〜５に示すように、回転部材８の一部が一対の板部材７，７からシャフト部材２側に突出して配置され、回転部材８が支持部４と当接するように構成される。さらに、巻取部１は、長手方向の他方側の端部が基部５と当接することにより、シャフト部材２との距離において一方側（回転部材８側）が他方側（支点部６側）より大きくなるのを規制されるように構成される。即ち、巻取部１，…は、支持部４によって幅方向に変位するのを規制されるとき、互いの長手方向が略平行となるように構成される。
【００１６】
移動部３は、略円筒状に形成されてシャフト部材２に挿入される移動部本体９を備え、移動部本体９は、シャフト部材２に沿って変位可能に構成される。具体的には、移動部本体９は、二点支持により安定して摺接可能にすると共に接触面積を小さくしてシャフト部材２との摩擦力を低減すべく、シャフト部材２に嵌合されて、且つ内周部がシャフト部材２の外周部と摺接される一対の環状の摺接部１０を備える。
【００１７】
また、移動部３は、軸線方向において一部が大径に形成される大径部１１と、軸線方向に向けて大径部４から縮径するよう（テーパ状）に形成される縮径部１２とを備える。そして、大径部１１の外周部、即ち、支持部４は、巻取部１（回転部材８）をシャフト部材２側から支持（当接）して、巻取部１がシャフト部材２側（幅方向）に変位するのを規制可能に構成される。また、縮径部１２は、支持部４による巻取部１の変位の規制を解除すべく、移動部３がシャフト部材２の軸線方向に沿って変位するのに伴って、巻取部１（回動部材８）を案内して変位可能に構成される。
【００１８】
また、移動部３は、軸線方向の一方側の端部に、オペレーターが把持可能な球状の把持部１３が設けられ、そして、オペレーターの手を保護すべく、固定手段（採番しない）を介して移動部本体９に固定される板状の安全鍔１４が軸線方向と直交するようにして配設される。なお、安全鍔１４は、移動部３がシャフト部材２の軸線方向に所定距離移動すると、巻取部１（板部材７）の端部に当接するように構成され、移動部３がシャフト部材２の軸線方向に所定距離以上移動するのを規制可能に構成される。
【００１９】
そして、移動部３は、巻取部１に対象物Ｘを巻き付ける位置（以下、「巻き付け位置」ともいう）と、巻取部１から対象物Ｘを抜き取る位置（以下、「抜き取り位置」ともいう）とにおいて保持可能に構成される。即ち、支持部４は、巻取部１が幅方向（シャフト部材２側）に変位するのを規制可能な位置と、規制を解除して巻取部１が幅方向（シャフト部材２側）に変位可能な位置とにおいて保持可能に構成される。
【００２０】
具体的には、移動部本体９には、軸線方向に沿った第１孔部１５及び周方向に沿った第２孔部１６が連通して設けられ、シャフト部材２には、両孔部１５，１６に挿通可能な突起部１７が設けられ、そして、移動部３（移動部本体９）は、隣設される弾性体１８から付勢されることにより、両孔部１５，１６の何れか一方の内縁が突起部１７に係止（当接）されることで保持される。
【００２１】
そして、移動部３は、巻き付け位置のときには、軸線方向に沿った第１孔部１５が突起部１７に係止（当接）されることにより、シャフト部材２と一体回転可能に構成される。さらに、移動部３は、抜き取り位置のときには、周方向に沿った第２孔部１６に突起部１７が案内されることにより、巻取部１に対してシャフト部材２の周方向に相対変位可能に構成される。具体的には、巻取部１（板部材７）の端部に安全鍔１４が当接し、そして、摺接するように周方向に回転されると、周方向に沿った第２孔部１６に突起部１７が案内されるように構成される。
【００２２】
さらに、移動部３は、支持部４が巻取部１が内方（幅方向）に変位するのを規制する位置において、巻取部１，…を係止可能な規制部１９，…を外周部に備え、巻取部１，…が移動部３に対してシャフト部材２の周方向に相対変位するのを規制可能に構成される。具体的には、規制部１９は、大径部１１（移動部３）の外周部に、軸線方向に沿う溝状に形成され、巻取部１，…がシャフト部材２の周方向に相対変位するのを規制する。
【００２３】
本実施形態にかかる巻取装置の構成に関する説明は、以上の通りであり、次に、本実施形態にかかる巻取装置の作用について説明する。
【００２４】
まず、巻取装置は、支持部４が巻取部１，…を支持して幅方向に変位するのを規制する位置、即ち、巻き付け位置で保持された状態で、シャフト部材２が駆動して周方向に回転すると、シャフト部材２に固定される基部５を介して、基部５に枢着される巻取部１，…が一体回転する。そして、シャフト部材２の周方向に回転し、且つ幅方向に変位するのを規制された巻取部１，…の周りに長尺な対象物Ｘが軸線方向に往復移動しながら巻き付けられる。このとき、巻取部１が巻き付けられた対象物Ｘからシャフト部材２側に向けた力が作用するが、支持部４が巻取部１，…を支持して幅方向に変位するのを規制できる。
【００２５】
また、移動部３（支持部４）も、移動部本体９に設けられる軸線方向に沿った第１孔部１５がシャフト部材２の突起部１７に係止（当接）されることにより、シャフト部材２、即ち、巻取部１，…と一体回転する。これにより、巻取部１が支持部４によって幅方向に変位するのを規制されるときに、移動部３（大径部１１）の外周部に設けられる溝状の規制部１９が巻取部１（回転部材８）を係止するため、巻取部１，…が移動部３（支持部４）に対してシャフト部材２の周方向に相対変位するのを規制する。したがって、対象物Ｘが巻き付けられるのに伴い、巻取部１に対してシャフト部材２の周方向の力が作用するが、巻取部１が移動部３（支持部４）に対してシャフト部材２の軸線方向に亘って周方向に相対変位するのを規制されるため、対象物Ｘを安定して巻取部１，…に巻き付けることができる。
【００２６】
そして、巻き付けられた対象物Ｘを巻取部１，…から抜き取るのに、まず、シャフト部材２の回転を停止させ、巻取部１や移動部３（支持部４）等の回転を停止させる。そして、オペレーターに把持部１３を把持されてシャフト部材２の軸線方向の他方側（基部５側）に向けて付勢されると、シャフト部材２に挿入される移動部３がシャフト部材２の軸線方向に沿って変位するのに伴い、移動部３の外周部に設けられる支持部４がシャフト部材２の軸線方向に向けて変位する。
【００２７】
すると、対象物Ｘから受ける力や巻取部１の自重によって、巻取部１がシャフト部材２側（幅方向）の力を受けていると、巻取部１、即ち、長手方向の一方側に設けられる回動部材８が縮径部１２に沿って案内される。したがって、巻取部１が長手方向の他方側に設けられる支点部６を中心に回動するため、巻取部１が規制を解除されて対象物Ｘから離間するようにシャフト部材２側（幅方向）に変位する。
【００２８】
そして、安全鍔１４が巻取部１，…に当接するまで、移動部３がシャフト部材２の軸線方向に移動すると、対象物Ｘを抜き取り可能な程度に、巻取部１が対象物Ｘから離間するように変位する。そこで、安全鍔１４が巻取部１，…と摺接するように移動部３をシャフト部材２の周方向に回転されると、周方向に沿った第２孔部１６にシャフト部材２の突起部１７が案内される。このとき、移動部３がシャフト部材２の軸線方向に移動することにより、回転部材８が大径部１１や縮径部１２よりもシャフト部材２の軸線方向の一方側に位置しているため、即ち、支持部４が抜き取り位置に位置しているため、規制部１９による係止も解除され、回転部材８が移動部３に対してシャフト部材２の周方向に相対変位可能となっている。
【００２９】
そして、弾性体１８が移動部３を付勢するため、移動部３の第２孔部１６の内縁がシャフト部材２の突起部１７に係止（当接）されて、移動部３（支持部４）が保持される。それにより、巻取部１，…から対象物Ｘを抜き取るのに、巻取部１，…が幅方向に変位可能な状態で維持できる。したがって、図６に示すように、変位するのを規制された複数の巻取部１，…の周りに長尺な対象物Ｘを巻き付けたあと、巻取部１，…が規制を解除されて対象物Ｘから離間するように幅方向に変位することにより、巻取部１，…から巻き付けられた対象物Ｘを抜き取ることができる。
【００３０】
そして、再び対象物Ｘを巻取部１，…に巻き付けるのに、オペレーターによって、周方向に沿った第２孔部１６にシャフト部材２の突起部１７が案内されて、移動部３が周方向に回転される。すると、弾性体１８が移動部３を付勢するため、軸線方向に沿った第１孔部１５に突起部１７が案内されて、移動部３がシャフト部材２の軸線方向に沿って変位する。したがって、支持部４が巻取部１，…を支持して幅方向に変位するのを規制する位置、即ち、巻き付け位置に変位する。
【００３１】
そして、移動部３が弾性体１８に付勢され続けるため、軸線方向に沿った第１孔部１５の内縁が突起部１７に係止（当接）されて、移動部３（支持部４）が保持される。したがって、支持部４が巻き付け位置で保持された状態で、再び、対象物Ｘを抜き取り可能なように複数の巻取部１，…の周りに巻き付けることができる。
【００３２】
以上より、本実施形態にかかる巻取装置は、支持部４が、巻取部１，…を支持して巻取部１が幅方向に変位するのを規制可能な位置と、巻取部１，…が幅方向に変位可能な位置とに変位可能であるため、複数の巻取部１，…の周りに長尺な対象物Ｘを巻き付け、巻取部１，…から対象物Ｘを抜き取るのに、装置の一部位を分離させたり、分離した部位を接合させたりする必要がない。したがって、対象物Ｘを抜き取る作業を簡素化できるため、例えば、巻き付けた対象物Ｘを抜き取る作業に必要な時間を短縮することもできる。
【００３３】
また、本実施形態にかかる巻取装置は、移動部３がシャフト部材２の軸線方向に沿って変位することにより、支持部４が巻取部１，…を支持して幅方向に変位するのを規制する位置と、規制を解除する位置とに変位できる。したがって、例えば、移動部３をシャフト部材２の軸線方向に付勢するだけで、支持部４が変位可能にできるため、対象物Ｘを抜き取る作業をさらに簡素化することができる。
【００３４】
また、本実施形態にかかる巻取装置は、巻取部１が対象物Ｘを巻き付けるのに、規制部１９が巻取部１，…を係止するため、巻取部１が移動部３に対してシャフト部材２の周方向に相対変位するのを規制される。したがって、例えば、巻取部１が対象物Ｘから周方向の力を受けても湾曲（変形）するのを防止できるため、巻取部１の周方向に対する設計強度を小さくすることができる。
【００３５】
なお、本発明にかかる巻取装置は、上記した実施の形態に限定されるものではなく、本発明の要旨を逸脱しない範囲内において種々変更を加え得ることは勿論である。
【００３６】
例えば、上記実施形態にかかる巻取装置は、帯状のフィルムを巻き取る場合を説明したが、かかる場合に限られず、例えばシートや紐といった長尺な対象物であればよい。
【００３７】
また、上記実施形態にかかる巻取装置は、巻取部１，…がシャフト部材２の周方向に回転する場合を説明したが、かかる場合に限られず、巻取部１，…が回転することなく、対象物Ｘが巻取部１，…の周りに巻き付けられる場合でもよい。
【００３８】
また、上記実施形態にかかる巻取装置は、シャフト部材２が周方向に駆動して回転することにより、巻取部１が周方向に回転し、さらに、移動部３（支持部４）も周方向に回転する場合を説明したが、かかる場合に限られず、シャフト部材２及び移動部３（支持部４）の少なくとも何れか一方が回転しない場合でもよい。
【００３９】
また、上記実施形態にかかる巻取装置は、対象物Ｘを巻き付けるときは、巻取部１の長手方向がシャフト部材２の軸線方向と平行となるように巻取部１，…が配置される場合を説明したが、巻取部１の長手方向がシャフト部材２の軸線方向と傾斜するように巻取部１が配置される場合でもよい。
【００４０】
また、上記実施形態にかかる巻取装置は、巻取部１，…が同構成である場合を説明したが、かかる場合に限られず、互いに異なる構成（形状）である場合でもよい。要するに、複数の巻取部は、互いに長手方向が沿うようにして配置され、複数の巻取部の周りに長尺な対象物を巻き付け可能に構成されていればよい。
【００４１】
また、上記実施形態にかかる巻取装置は、巻取部１が基部５に枢着され、長手方向の一方側が幅方向に変位する場合を説明したが、かかる場合に限られず、例えば、図７に示すように、巻取部２０が長手方向に亘って幅方向に変位する場合でもよい。具体的には、巻取部２０は、移動部２１に設けられる第１支持部２２に支持される第１回動部材２３と、移動部２１に設けられる第２支持部２４に支持される第２回動部材２５とを備え、内方（幅方向）に変位するのを規制可能に構成されると共に、基部２６と係合する係合部２７を備え、シャフト部材２８の軸線方向に変位するのを規制可能に構成されてもよい。
【００４２】
また、上記実施形態にかかる巻取装置は、複数の巻取部１，…が全て内方（幅方向）に変位可能な場合を説明したが、かかる場合に限られず、少なくとも一つの巻取部１が幅方向に変位可能な場合でもよい。要するに、巻取部１，…は、少なくとも一つが幅方向に移動して、巻き付けた対象物Ｘが抜き取り可能に対象物Ｘから離間すればよい。
【００４３】
また、上記実施形態にかかる巻取装置は、巻取部１の回転部材８が移動部３における縮径部１２に案内されて、巻取部１が規制を解除される場合を説明したが、かかる場合に限られず、例えば、巻取部及び移動部（縮径部）が摺接する場合でもよく、また、支持部に設けられた回転部材が、巻取部の外縁や巻取部に設けられたカム（板カム、溝カム）に案内される場合でもよい。
【００４４】
また、上記実施形態にかかる巻取装置は、巻取部１が四つ設けられる場合を説明したが、かかる場合に限られず、巻取部１が二つ以上設けられていればよい。
【００４５】
また、上記実施形態にかかる巻取装置は、大径部１１からシャフト部材２の軸線方向の一方側に向けて縮径する縮径部１２を備え、移動部３がシャフト部材２の軸線方向の一方側に移動することにより、巻取部１が幅方向に変位するのを規制する位置に支持部４を変位させる場合を説明したが、かかる場合に限られず、例えば、大径部１１からシャフト部材２の軸線方向の他方側に向けて縮径する縮径部を備え、移動部がシャフト部材２の軸線方向の他方側に移動することにより、巻取部１が幅方向に変位するのを規制する位置に支持部４を変位させる場合でもよい。
【００４６】
また、上記実施形態にかかる巻取装置は、規制部１９がシャフト部材２の軸線方向に沿う溝状に構成される場合を説明したが、かかる場合に限られず、例えば、規制部は、移動部の外周部に設けられた凸部であって、凸部は、巻取部１の一対の板部材７，７間に挿入可能に構成される場合でもよい。要するに、規制部は、巻取部１が移動部に対してシャフト部材２の周方向に相対変位するのを規制可能に構成されていればよい。
【図面の簡単な説明】
【００４７】
【図１】本発明の一実施形態にかかる巻取装置の全体図であって、側面図を示す。
【図２】同実施形態にかかる巻取装置における巻取部の全体概略図であって、（ａ）は上面図、（ｂ）は側面図を示す。
【図３】同実施形態にかかる巻取装置の全体図であって、（ａ）は図１のＡ−Ａ線における断面図、（ｂ）は（ａ）の領域Ｂにおける拡大図を示す。
【図４】同実施形態にかかる巻取装置の全体図であって、巻取部が変位するのを規制される状態における、図３のＣ−Ｃ線の断面図を示す。
【図５】同実施形態にかかる巻取装置の全体図であって、図４の領域Ｄにおける拡大図を示す。
【図６】同実施形態にかかる巻取装置の全体図であって、巻取部がかかる規制を解除された状態における、断面図を示す。
【図７】本発明にかかる他の実施形態にかかる巻取装置の部分概略図であって、（ａ）は巻取部が変位するのを規制される状態における側面図、（ｂ）は巻取部がかかる規制を解除された状態における側面図を示す。
【図８】従来の巻取装置の全体概略図であって、一部縦断した側面図を示す。
【符号の説明】
【００４８】
１…巻取部、２…シャフト部材、３…移動部、４…支持部、１９規制部、Ｘ…対象物
【図１】
2009040583.tif 000003
【図２】
2009040583.tif 000004
【図３】
2009040583.tif 000005
【図４】
2009040583.tif 000006
【図５】
2009040583.tif 000007
【図６】
2009040583.tif 000008
【図７】
2009040583.tif 000009
【図８】
2009040583.tif 000010